(57)【要約】【課題】画像表示装置において、基板間で放電が生じることを低減し、放電が生じた場合においては、放電電流の大きさを抑制して、電子源や蛍光面ならびに駆動回路が損傷することおよび発光特性の劣化を低減する。【解決手段】この発明の画像表示装置１の表示パネル１０のそれぞれの走査線Ｙ１〜Ｙｍに電源を供給する第１および第２の走査線ドライバ３０−１，３０−２のそれぞれと表示パネル１０とを接続する各走査線Ｙ１〜Ｙｍには、それぞれサージアブソーバＺ１〜Ｚｍが接続され、その一端が接地されている。また、サージアブソーバＺ１〜Ｚｍは、パネル１０の構造上の特徴において生じることのある基板間（表示パネルのリアパネルとフェースプレートとの間）の放電が生じた場合に、その放電により生じる放電電流（過電流）により走査線ドライバ３０−１，３０−２が損傷することを防止できる。【選択図】  図１
2006172888.tif 000002
【特許請求の範囲】
【請求項１】
電子線源を保持した第１基板（リアパネル）と、
前記電子線源から出力された電子線が照射されることで所定の色の光を出力する蛍光体を保持し、前記第１基板に所定間隔で対向された第２基板（フェースプレート）と、
前記第１基板と前記第２基板とを所定間隔で、気密保持する枠体と、
前記第２基板の前記蛍光体により規定される画素に所定の電圧を供給する走査線と、
前記第２基板の前記蛍光体により規定される画素に所定の電圧を供給する信号線と、
前記走査線に所定の電圧を与える走査線駆動回路と、
前記走査線に設けられ、所定の電圧よりも大きな電圧が生じ、または規定の電流値よりも大きな過電流が流れることで、接地されるサージアブソーバと、
を有すること特徴とする画像表示装置。
【請求項２】
前記サージアブソーバは、アバランシェ効果を呈する素子を含むことを特徴とする請求項１に記載の画像表示装置。
【請求項３】
前記サージアブソーバは、前記第２基板の近傍または前記第２基板と前記走査線駆動回路との接続部に設けられることを特徴とする請求項１または２に記載の画像表示装置。
【請求項４】
前記画素は、電子ビームを放出する表面伝導型電子放出素子を含むことを特徴とする請求項１ないし３のいずれかに記載の画像表示装置。
【請求項５】
複数の走査線と、前記複数の走査線と相互に直交する複数の信号線と、前記複数の走査線および前記複数の信号線のそれぞれが交差する位置の近傍に配置され、各々一対の走査線および信号線間の画素電圧に対応して電子ビームを放出する表面伝導型電子放出素子を含む複数の表示画素とを備える表示パネルと、
前記表示パネルの個々の走査線に所定の電圧を供給する走査線駆動回路と、
前記走査線と前記走査線駆動回路との間あるいは前記走査線と前記表示パネルの個々の表示画素との接続部との間の任意の区間に設けられ、前記表示パネル内で放電が生じた場合に、その放電電流が前記走査線駆動回路に流れることを抑止するサージアブソーバと、
を有することを特徴とする画像表示装置。
【請求項６】
前記画素は、電子ビームを放出する表面伝導型電子放出素子を含むことを特徴とする請求項５記載の画像表示装置。
【請求項７】
前記走査線駆動回路は、前記表示パネルの前記表示画素の画素列の両側に設けられることを特徴とする請求項５記載の画像表示装置。
【請求項８】
前記サージアブソーバは、アバランシェ効果を呈する素子を含むことを特徴とする請求項５ないし７のいずれかに記載の画像表示装置。
【請求項９】
電子線源を保持した第１基板と、前記電子線源から出力された電子線が照射されることで所定の色の光を出力する蛍光体層を保持し、前記第１基板に所定間隔で対向された第２基板と、前記第１基板および前記第２基板を密閉構造とする側壁と、を備え、
前記第２基板および前記第１基板との間に画像表示用の信号を提供する駆動回路との間に、所定電圧を超える異常電圧が生じ、または異常電流が流れた場合、もしくは異常電圧の発生に繋がる電位上昇が生じた場合に、前記駆動回路と前記第２基板および前記第１基板との間の電気的接続を遮断する保護回路が設けられていることを特徴とする画像表示装置。
【発明の詳細な説明】
【技術分野】
【０００１】
この発明は、画像表示装置に係わり、さらに詳しくは、真空容器内に、電子源と、この電子源から放出される電子線の照射により画像を表示する蛍光面と、を備えた画像表示装置に関する。
【背景技術】
【０００２】
陰極線管（ＣＲＴ）に代わる画像表示装置として、電子放出素子（電子源）を平面状、かつマトリクス状に配列し、所定間隔で対向させた平面状の蛍光面（前面基板）に選択的に電子線を照射することにより、蛍光面から任意の色の光を出力させて画像を表示させる画像表示装置が開発されている。この種の画像表示装置は、フィールド・エミッション・ディスプレイと呼ばれている（以下、ＦＥＤと称する）。また、ＦＥＤのうち、電子源として表面伝導型エミッタを用いた表示装置は、表面伝導型電子放出ディスプレイ（以下、ＳＥＤと呼称する）として区分されることもあるが、本願においては、ＳＥＤも含む総称として、ＦＥＤという用語を用いる。
【０００３】
ＦＥＤは、上述した電子源側の基板と蛍光面側の基板との隙間を数ｍｍ以下に設定することができ、周知のＣＲＴと比較して厚さを薄くすることが可能で、ＬＣＤ装置のような画像表示装置と比較しても同等か、それ以下の厚さにできる。従って、軽量化の面でも、期待がされる。
【０００４】
また、ＣＲＴやプラズマディスプレイと同様の自己発光型であるため、表示画像の輝度も、得やすい特徴がある。
【０００５】
前面基板の内面に設けられる蛍光面には、赤（Ｒ）、青（Ｂ）、緑（Ｇ）の蛍光体が、所定の大きさ、かつ所定の順に配列されている。蛍光面の個々の蛍光体には、それぞれの蛍光体に所定の掃引電圧を与えるアノード電極が接続されている。
【０００６】
電子源側の基板には、任意の位置のエミッタと対向される蛍光面を発光させるための、予め特定されたエミッタから所定量の電子を放出させるための走査線および信号線がそれぞれ、マトリックス状に接続されている。
【０００７】
ＦＥＤにおいては、蛍光体から出力される画像光を前面基板の表示面（観測者からみた目視面）側に反射して画像の輝度高めるため、蛍光体上（組み立てた状態で、電子源側の基板と対向される側）に、金属材料の薄層であるメタルバック層が設けられる。
【０００８】
なお、メタルバック層は、電子源すなわちエミッタに対して、アノード（陽極）として機能する。
【０００９】
上述のＦＥＤは、一般に、表示パネルと、この表示パネルを駆動する駆動ユニットとを備える。表示パネルは、横（水平）方向に伸びる複数の走査線、個々の走査線に交差して縦（垂直）方向に伸びる複数の信号線、並びにそれぞれの走査線および信号線の交差位置に配置される複数の表示画素を含む（例えば、特許文献１参照）。
【００１０】
ところで、ＦＥＤにおいては、その構造上の特徴から、前面基板と電子源側の基板との間に、１０ｋＶ前後の高電圧が印加される。このため、メタルバック層（アノード電極）と電子源（エミッタ）との間で、１００Ａにも達する大きな放電電流の生じる放電（真空アーク放電）が生じやすいことが知られている。このため、メタルバック層を複数に分割し、抵抗部材を介在させた状態で共通電極（アノード電源）と接続することにより、アノードの高電圧を確保する方法が提案されている（例えば特許文献２参照）。
【００１１】
また、メタルバック層に、ジグザグ等のパターンの切り欠きを形成して、蛍光面の実効的なインピーダンスを高める技術が開示されている（例えば特許文献３参照）。
【特許文献１】特開２００２−２２１９３３号公報
【特許文献２】特開平１０−３２６５８３号公報
【特許文献３】特開２０００−３１１６４２号公報
【発明の開示】
【発明が解決しようとする課題】
【００１２】
上記特許文献２，３には、アノードとして機能するメタルバック層を任意数に分割することにより、放電の発生を抑制できることが報告されているが、実際には前面基板（フェースプレート）と電子源側基板（リアパネル）との間の間隔、アノードに印加される電圧の大きさおよび経時変化等により、放電の発生を完全に抑止することは困難である。
【００１３】
また、放電発生時の放電電流の大きさも抑制されつつあるが、画像の表示に影響を与えない程度の大きさの放電電流よりも大きな放電電流が流れることは避けられない問題がある。この場合、特に横方向（走査線方向）に放電電流が流れ、放電によるひげ状のダメージが生じることが多い。
【００１４】
この発明の目的は、画像表示装置において、基板間で放電が生じることを低減し、放電が生じた場合においては、放電電流の大きさを抑制して、電子源や蛍光面ならびに駆動回路が損傷することおよび発光特性の劣化を低減することである。
【課題を解決するための手段】
【００１５】
この発明は、電子線源を保持した第１基板（リアパネル）と、前記電子線源から出力された電子線が照射されることで所定の色の光を出力する蛍光体を保持し、前記第１基板に所定間隔で対向された第２基板（フェースプレート）と、前記第１基板と前記第２基板とを所定間隔で、気密保持する枠体と、前記第２基板の前記蛍光体により規定される画素に所定の電圧を供給する走査線と、前記第２基板の前記蛍光体により規定される画素に所定の電圧を供給する信号線と、前記走査線に所定の電圧を与える走査線駆動回路と、前記走査線に設けられ、所定の電圧よりも大きな電圧が生じ、または規定の電流値よりも大きな過電流が流れることで、接地されるサージアブソーバと、を有すること特徴とする画像表示装置を提供するものである。
【００１６】
また、この発明は、複数の走査線と、前記複数の走査線と相互に直交する複数の信号線と、前記複数の走査線および前記複数の信号線のそれぞれが交差する位置の近傍に配置され、各々一対の走査線および信号線間の画素電圧に対応して電子ビームを放出する表面伝導型電子放出素子を含む複数の表示画素とを備える表示パネルと、前記表示パネルの個々の走査線に所定の電圧を供給する走査線駆動回路と、前記走査線と前記走査線駆動回路との間あるいは前記走査線と前記表示パネルの個々の表示画素との接続部との間の任意の区間に設けられ、前記表示パネル内で放電が生じた場合に、その放電電流が前記走査線駆動回路に流れることを抑止するサージアブソーバと、を有することを特徴とする画像表示装置を提供するものである。
【００１７】
また、この発明は、電子線源を保持した第１基板と、前記電子線源から出力された電子線が照射されることで所定の色の光を出力する蛍光体層を保持し、前記第１基板に所定間隔で対向された第２基板と、前記第１基板および前記第２基板を密閉構造とする側壁と、を備え、前記第２基板および前記第１基板との間に画像表示用の信号を提供する駆動回路との間に、所定電圧を超える異常電圧が生じ、または異常電流が流れた場合、もしくは異常電圧の発生に繋がる電位上昇が生じた場合に、前記駆動回路と前記第２基板および前記第１基板との間の電気的接続を遮断する保護回路が設けられていることを特徴とする画像表示装置を提供するものである。
【発明の効果】
【００１８】
本発明によれば、基板間で放電が発生する条件に対し、電子源に過電圧がかかることを実質的に抑止可能なサージアブソーバを用いることにより、放電によるひげ状のダメージが生じることを、抑制可能である。すなわち、電子放出素子や蛍光面が損傷し、あるいは特性が劣化することが防止できる。従って、画質の劣化が少ない画像表示装置が製造可能となる。
【発明を実施するための最良の形態】
【００１９】
以下、図面を参照して、この発明の実施の形態について詳細に説明する。
【００２０】
図１は、この発明が適用される平面画像表示装置の回路構成の一例を示す。図１に示す画像表示装置１は、例えば横１２８０×縦７６８のカラー表示画素数を持つ、フィールド・エミッション・ディスプレイ（ＦＥＤ）装置である。画像表示装置１は、表示パネル１１０、信号線駆動回路２０、走査線駆動回路３０および映像信号処理回路４０を備える。
【００２１】
表示パネル１０は、横（水平すなわちＹ）方向に、相互に概ね平行に設けられた７６８本の走査線Ｙ（ｍ＝７６８，Ｙ１〜Ｙｍ）、走査線Ｙ１〜Ｙｍに、直交する縦（垂直すなわちＸ）方向に設けられた１２８０×３本の信号線Ｘ（ｎ＝１２８０，Ｘ１〜Ｘｎ）を揺する。それぞれの走査線Ｙ１〜Ｙｍおよび信号線Ｘ１〜Ｘｎの交差位置には、ｍ×ｎ（＝約２７６万）個の表示画素ＰＸが設けられている。各表示画素ＰＸは、水平方向において隣接する３個の表示画素ＰＸ（Ｒ，Ｇ，Ｂ）を含む。
【００２２】
表示パネル１０の個々の表示画素ＰＸ（Ｒ，Ｇ，Ｂのそれぞれ）は、いずれも表面伝導型電子放出素子１１および個々の電子放出素子１１から放出される電子ビームにより発光する赤（Ｒ）、緑（Ｇ）、および青（Ｂ）の蛍光体１２を含む。
【００２３】
各走査線Ｙ１〜Ｙｎは、対応する水平ライン（行）の表示画素ＰＸの電子放出素子１１に接続され、走査電極として用いられる。各信号線Ｘ１〜Ｘｎは、対応する列（垂直方向）の表示画素ＰＸの電子放出素子１１に接続され、信号電極として用いられる。
【００２４】
信号線駆動回路２０、走査線駆動回路３０、および映像信号処理回路４０は、表示用駆動ユニットとして表示パネル１０の周囲に配置され、例えば外部に設けられるタイミングコントローラ（図示せず）から制御信号および画像信号が供給されることで、表示パネル１０に画像を表示させる。
【００２５】
映像信号処理回路４０は、外部の信号源から供給され、Ｒ，Ｇ，Ｂ信号を含む映像信号をデジタル形式で処理する。走査線駆動回路３０は、走査信号を用いて、走査線Ｙ１〜Ｙｍを順次駆動し、信号線駆動回路２０は、走査線Ｙ１〜Ｙｍの各々が走査線駆動回路３０によって駆動される間に映像信号処理回路４０からの映像信号に対応して、信号線Ｘ１〜Ｘｎを駆動する。
【００２６】
走査線駆動回路３０は、走査線Ｙ１〜Ｙｍの左端側および右端側にそれぞれ配置される第１および第２走査線ドライバ３０−１，３０−２を含む。第１走査線ドライバ３０−１は、全ての走査線Ｙ１，Ｙ２，Ｙ３，…，Ｙｍ−１，Ｙｍの左端に接続され、各走査線Ｙ１，Ｙ２，Ｙ３，…，Ｙｍ−１，Ｙｍを左端から駆動する。第２走査線ドライバ３０−２は、全ての走査線Ｙ１，Ｙ２，Ｙ３，…，Ｙｍ−１，Ｙｍの右端に接続され、これら走査線Ｙ１，Ｙ２，Ｙ３，Ｙ４，Ｙ５，…，Ｙｍ−１，Ｙｍを右端から駆動する。
【００２７】
なお、第１および第２の走査線ドライバ３０−１，３０−２のそれぞれと表示パネル１１とを接続する各走査線Ｙ１〜Ｙｍには、それぞれサージアブソーバＺ１〜Ｚｍが接続され、その一端が接地されている。また、サージアブソーバＺ１〜Ｚｍは、以下に説明する表示パネル１０の構造上の特徴において生じることのある基板間（表示パネル１０のリアパネル１００とフェースプレート２００との間）の放電が生じた場合に、その放電により生じる放電電流（過電流）により、走査線ドライバ３０−１，３０−２が損傷することを防止できる（過電流は、短絡したライン（アブソーバ）に流れるため、走査線ドライバに過電流が回り込まない）。
【００２８】
サージアブソーバＺ１〜Ｚｍは、アバランシェ効果を提供可能な素子であって、例えばアバランシェダイオードやアバランシェトランジスタである。なお、サージアブソーバＺ１〜Ｚｍは、好ましくは走査線駆動回路３０の近傍ではなく、以下に説明する表示パネル側の走査線駆動回路との接続端またはその近傍に設けられる。また、走査線駆動回路３０のドライバＩＣが、例えば表示パネル１０の長手方向の両側に設けられている場合には、それぞれの走査線ドライバ（３０−１，３０−２）に近接して（サージアブソーバＺ１〜Ｚｍ）設けられることが好ましい。
【００２９】
走査線ドライバ３０−１，３０−２は、走査線Ｙ１，Ｙ２，Ｙ３，…，Ｙｍ−１，Ｙｍの左端にそれぞれ接続されるｍ個の出力端、走査線Ｙ１，Ｙ２，Ｙ３，…，Ｙｍ−１，Ｙｍの右端にそれぞれ接続される出力端をそれぞれ有し、それぞれ、順次ｍ個の出力端に、走査信号を出力する。
【００３０】
例えば、２つの隣接するフレーム期間のうちの一方に関して、タイミングコントローラ（外部装置、図示せず）から、スタート信号ＳＴ、クロック信号ＣＫおよびイネーブル信号ＥＮが、走査線ドライバ３０−１に供給される。従って、走査線ドライバ３０−１は、全ての走査線Ｙ１，Ｙ２，Ｙ３，Ｙ４，Ｙ５，…，Ｙｍ−１，Ｙｍに割り当てられる。
【００３１】
同様に、２つの隣接するフレーム期間のうちの他方に関して、タイミングコントローラから、スタート信号ＳＴ、クロック信号ＣＫおよびイネーブル信号ＥＮが、走査線ドライバ３０−２に供給される。これにより、走査線ドライバ３０−２は、全ての走査線Ｙ１,Ｙ２，Ｙ３，Ｙ４，Ｙ５，…，Ｙｍ−１，Ｙｍに割り当てられる。
【００３２】
図２および図３に、図１に示した画像表示装置に組み込まれる表示パネルの構造の一例を示す。
【００３３】
表示パネル１０は、電子放出素子（電子源すなわちエミッタ）１１を有する電子源側基板（第１基板、以下リアパネルと呼称する）１００と、リアパネル１００に所定の間隔で対向され、エミッタ１１から出力された電子線が照射されることで蛍光を出力する蛍光面（Ｒ，Ｇ，Ｂ蛍光体１２）を含む蛍光面側基板（第２基板、以下フェースプレートと呼称する）２００とを有する。
【００３４】
リアパネル１００およびフェースプレート２００は、図３に示すように、それぞれ、所定面積が与えられた矩形状の背面（電子源側）ガラス基材１０１と前面（蛍光面側）２０１とを含み、それぞれの基材１０１および２０１の主要な部分すなわち表示領域相当部には、電子源（電子放出素子）と蛍光体（発光素子）とが所定数設けられている。
【００３５】
両基板１００，２００は、１〜２ｍｍのギャップ（間隔）で対向され、両基板１００，２００の周縁部に設けられる側壁３０１により、相互に接合されている。すなわち、表示パネル１０は、２枚の基板１００，２００と側壁３０１とにより密閉構造の外囲器４０１となる。なお、外囲器４０１の内部は、例えば１０−４Ｐａ程度の真空度に維持される。
【００３６】
リアパネル１００およびフェースプレート２００のガラス基材相互間には、外囲器４０１として組み立てられた状態で、それぞれに作用する大気圧に抗するため、板状あるいは柱状に形成された多数のスペーサ５０１が配置されている。
【００３７】
フェースプレート２００に用いられるガラス基材２０１の一方の面、すなわち外囲器４０１として組み立てた際に内側に面する面には、上述したＲ，Ｇ，Ｂのそれぞれの蛍光体１２が所定の順に配列された蛍光面２１１が設けられている。なお、蛍光面２１１には、後段に詳述するが、アノード電極として機能する金属薄膜（メタルバック層）が設けられる。なお、電子源とアノード電極との間に、例えば１０〜１５ｋＶの掃引電圧が印加される。
【００３８】
蛍光面２１１には、図４および図５に示すように、リアパネル１００の個々のエミッタから放射される電子が衝突されることでＲ，Ｇ，Ｂの光を放出する３種類の蛍光体１２−１（Ｒ），１２−２（Ｇ），１２−３（Ｂ）と、それぞれの蛍光体を区画するマトリックス状に配列された光遮光層（ブラックマスク）２２１が設けられている。
【００３９】
各蛍光体１２−１，１２−２，１２−３は、フェースプレート２００（ガラス基材２０１）の長手方向を第１方向（Ｘ方向）、Ｘ方向（長手方向）と直交する幅方向を第２方向（Ｙ方向）とした場合、例えばＹ方向に延びたストライプ状に形成されている。なお、各蛍光体１２−１〜−３は、前に説明したが、３つを１単位として配列される。
【００４０】
光遮光層２２１は、例えばカーボンとバインダ材との混合物であって、その抵抗値が、例えば１０３〜１０８［Ω］に設定されている。なお、バインダ材の含有量は、最大で８０％に規定されている。
【００４１】
光遮光層（ブラックマスク）２２１は、図４および図５から容易に理解できるとおり、Ｘ方向（列方向）とＹ方向（行方向）のそれぞれに、１２８０×３列および７６８行、配列されている。例えば、１画素の大きさを０．６ｍｍ四方とすると、個々の蛍光体層が帯状に伸びるＹ方向に関しては、その幅（Ｘ方向）に対応する領域の太さは、横線部の太さに比較して、狭い。一例を示すと、縦線部の幅は、Ｒ，Ｇ，Ｂからなる１画素間すなわちＢ（１２−３）とＲ（１２−１）との間で２０〜１００μｍ、より好ましくは４０〜５０μｍで、残りの部分すなわちＲ（１２−１）とＧ（１２−２）もしくはＧ（１２−２）とＢ（１２−３）との間２０〜１００μｍ、より好ましくは２０〜３０μｍである。これに対し、横線部の幅は、１５０〜４５０μｍ、より好ましくは３００μｍである。
【００４２】
蛍光面２１１には、光遮光層２２１により区画されたそれぞれの蛍光体領域１２−１，１２−２，１２−３を覆う全面に設けられ、表面に凹凸のある蛍光体領域に、以下に説明するように、アノード電極として機能するとともに各蛍光体領域で放出された光をガラス基板２０１側に反射させるために利用される金属薄層すなわちメタルバック層２３１が、所定の厚さに形成される。なお、この発明において、メタルバック層という用語を用いているが、この層は、アノードとして機能することが可能であれば、金属（メタル）に限定されるものではなく、種々の材料を使うことが可能である。また、メタルバック層２３１が形成されるに先だって、蛍光体領域の全面に、例えば樹脂等の蛍光体粒子を相互に固定することのできる平滑化層が設けられてもよい。。
【００４３】
ところで、メタルバック層２３１およびメタルバック層２３１に積層されるゲッタ（不純物吸着）層２４１は、図６に示すように、Ｘ方向およびＹ方向の少なくと一方向に沿って、ストライプ状に分断されることが多い。なお、ここでは、「分断」という表現により電気的な導通がないことを意図しているが、一般に絶縁体といえでも抵抗値は無限大ではなく、厳密な意味で電気的に分断されるということはありえず、このため、本願では、不連続膜になることで、掃引電圧（アノード電圧）が２枚の基板間に印加された場合であっても放電が生じにくい、連続膜の状態に比べ著しく抵抗が高い状態をいう。
【００４４】
このため、前に説明した基板間において、不所望な放電が生じた場合、放電電流および放電により生じる火花（放電軌跡）は、走査線に沿ってＸ方向に流れることが多い。このような背景から、図１に示したように、少なくとも走査線Ｙ１〜Ｙｍのそれぞれに、サージアブソーバＺ１〜Ｚｍを挿入することが有益である。
【００４５】
上記のように構成されたＦＥＤ（表示パネル）によれば、掃引電極として機能する金属薄膜であるメタルバック層およびゲッタ層と電子線源との間で、不所望な放電が生じる虞れ（走査線の電位の上昇）が生じた場合に、あるいは放電が生じた場合に、電子源（エミッタ）に過電圧がかかることが防止される。さらに、放電により生じる放電電流（過電流）により、走査線ドライバ（駆動回路）や個々の表示画素または表示面（蛍光体）が損傷することを防止できる。
【００４６】
以上説明したように、上述の構造をとることで、仮に放電が発生した場合であっても、その放電電流の大きさが抑止される。これにより、電子放出素子や蛍光面ならびに駆動回路が損傷し、あるいは特性が劣化することが防止できる。この結果、内部で放電が生じることにより画質が劣化することのない画像表示装置が得られる。
【００４７】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて実施されてもよく、その場合、組み合わせによる効果が得られる。
【図面の簡単な説明】
【００４８】
【図１】この発明が適用される平面画像表示装置の回路構成の一例を示す概略図。
【図２】図１に示した画像表示装置の表示パネルの構造の一例を示す概略図。
【図３】図２に示した画像表示装置の表示パネルの構造の一例（断面）を示す概略図。
【図４】図２および図３に示した表示パネルの表示面の構成の一例を示す概略図。
【図５】図２および図３に示した表示パネルの表示面の構成の一例を示す概略図。
【図６】図２および図３に示した表示パネルの掃引電極（ゲッタ層）の構成の一例を示す概略図。
【符号の説明】
【００４９】
１…画像表示装置、１０…表示パネル、１１…表面伝導型電子放出素子、１２…蛍光体、１２−１…蛍光体（Ｒ）、１２−２…蛍光体（Ｇ）、１２−３…蛍光体（Ｂ）、２０…信号線駆動回路、３０…走査線駆動回路、３０−１…第１走査線ドライバ、３０−２…第２走査線ドライバ、４０…映像信号処理回路、１００…リアパネル（電子源側基板，第１基板）、１０１…第１基板の基材、２００…フェースプレート（蛍光面側基板，第２基板）、２０１…第２基板の基材、２１１…蛍光面、２２１…光遮光層（ブラックマスク）、２３１…メタルバック層（金属薄膜，掃引電圧印加部）、２４１…ゲッタ（不純物吸着）層、３０１…側壁、４０１…密閉構造（外囲器）、５０１…スペーサ。
【図１】
2006172888.tif 000003
【図２】
2006172888.tif 000004
【図３】
2006172888.tif 000005
【図４】
2006172888.tif 000006
【図５】
2006172888.tif 000007
【図６】
2006172888.tif 000008
【手続補正書】
【提出日】平成17年12月8日(2005.12.8)
【手続補正１】
【補正対象書類名】明細書
【補正対象項目名】００４１
【補正方法】変更
【補正の内容】
【００４１】
光遮光層（ブラックマスク）２２１は、図４および図５から容易に理解できるとおり、Ｘ方向（列方向）とＹ方向（行方向）のそれぞれに、１２８０×３列および７６８行、配列されている。例えば、１画素の大きさを０．６ｍｍ四方とすると、個々の蛍光体層が帯状に伸びるＹ方向に関しては、その幅（Ｘ方向）に対応する領域の太さは、横線部の太さに比較して、狭い。一例を示すと、縦線部の幅は、Ｒ，Ｇ，Ｂからなる１画素間すなわちＢ（１２−３）とＲ（１２−１）との間であって、１表示画素１２を区分する部分である光遮光層の幅２２１ｘｐが２０〜１００μｍ、より好ましくは４０〜５０μｍで、残りの部分すなわちＲ（１２−１）とＧ（１２−２）もしくはＧ（１２−２）とＢ（１２−３）との間であって、任意の１つの色を区分する部分である光遮光層の幅２２１ｘｏが２０〜１００μｍ、より好ましくは２０〜３０μｍである。これに対し、横線部の幅すなわ２２１ｙｏは、１５０〜４５０μｍ、より好ましくは３００μｍである。
【手続補正２】
【補正対象書類名】図面
【補正対象項目名】図４
【補正方法】変更
【補正の内容】
【図４】
2006172888.tif 000009
【手続補正３】
【補正対象書類名】図面
【補正対象項目名】図５
【補正方法】変更
【補正の内容】
【図５】
2006172888.tif 000010